(57)【要約】【課題】低コストで、確実な電磁シールドとＧＮＤ接続を可能にするＬＶＤＳケーブル等の液晶パネル用ケーブル、及び当該液晶パネル用ケーブルを備えた液晶ディスプレイテレビを提供する【解決手段】ＬＶＤＳケーブル１４の上下面にガスケットテープ１４ｃを貼り合わせることでノイズ除去用のグランドラインを形成する。上記方法で形成したＬＶＤＳケーブル１４をツイスト配置して枠状フレーム１１ｅ２と基盤用フレーム１２との間に通しつつ同枠状フレーム１１ｅと基盤用フレーム１２とに接触させることでＬＶＤＳケーブル１４のノイズを上記両フレーム１１ｅ、１２をグランドとして放出する。【選択図】図２
2007265640.tif 000002
【特許請求の範囲】
【請求項１】
外部から入力された映像信号に基づいて所定の映像を液晶ディスプレイパネルに表示し、視聴する液晶ディスプレイテレビにおいて、
当該液晶ディスプレイテレビは、液晶ディスプレイパネルと、当該液晶ディスプレイパネルに組み付けられる枠状の第１のフレームと、当該第１のフレームに組み付けられ、当該液晶ディスプレイパネルの各ＦＥＴ素子を駆動するために、ソースドライバ及びゲートドライバをコントロールするタイミングコントローラと、下方に脚部を有する第２のフレームの台座に載置されて前記第１のフレームに一定距離離間した状態で組み付けられる、前記タイミングコントローラを制御する制御処理回路基板と、離間した前記第１のフレームと前記第２のフレームの台座間に配置され、前記タイミングコントローラと前記制御処理回路基板間に配線される液晶パネル用ケーブルとしてのＬＶＤＳケーブルとを有して成り、
当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上下面から金属層を有するガスケットテープを貼り合わせて成り、
前記第１のフレームと前記第２のフレームの台座間の一定距離離間した隙間に、当該ＬＶＤＳケーブルをツイストさせることで第１のフレームと第２のフレームとに前記ガスケットテープを接触させた状態で配設すると共に、一端側の前記コネクタを前記制御処理回路基板に装着すると同時に他端側の前記コネクタを前記タイミングコントローラに装着することで、
ＬＶＤＳケーブルにおける前記第１のフレーム及び前記第２のフレームへのＧＮＤ接続を前記ガスケットテープの前記両フレームへの接触を介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめることを特徴とする、液晶ディスプレイテレビ。
【請求項２】
電気電子部品間を電気的に接続する液晶パネル用ケーブルにおいて、
当該液晶パネル用ケーブルは、内蔵する複数の配線の周囲の少なくとも一部に金属層を有するガスケットテープが貼り付けられて成ることを特徴とする、液晶パネル用ケーブル。
【請求項３】
電気電子部品間を電気的に接続する液晶パネル用ケーブルにおいて、
内蔵する複数の配線が平面状に並列配置された状態で、その全域にわたって上下面から金属層を有するガスケットテープを貼り合わせて成ることを特徴とする、請求項２に記載の液晶パネル用ケーブル。
【請求項４】
電気電子部品間を電気的に接続する液晶パネル用ケーブルにおいて、
当該液晶パネル用ケーブルは、内蔵する複数の配線が平面状に並列配置された状態で、その上下面から金属層を有するガスケットテープを貼り合わせて成り、当該ガスケットテープを電機電子部品間の金属フレームに接触させた状態で配置することを特徴とする、請求項３に記載の液晶パネル用ケーブル。
【請求項５】
電機電子部品間を電気的に接続する液晶パネル用ケーブルにおいて、
当該液晶パネル用ケーブルは、
液晶ディスプレイパネルと、当該液晶ディスプレイパネルに組み付けられる枠状の第１のフレームと、当該第１のフレームに組み付けられ、当該液晶ディスプレイパネルの各ＦＥＴ素子を駆動するために、ソースドライバ及びゲートドライバをコントロールするタイミングコントローラと、下方に脚部を有する第２のフレームの台座に載置されて前記第１のフレームに一定距離離間した状態で組み付けられる、前記タイミングコントローラを制御する制御処理回路基板とを有し、外部から入力された映像信号に基づいて所定の映像を前記液晶ディスプレイパネルに表示し、視聴する液晶ディスプレイテレビの離間した前記第１のフレームと前記第２のフレームの台座間に配置され、前記タイミングコントローラと前記制御処理回路基板間に配線されるＬＶＤＳケーブルであって、
当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上下面から金属層を有するガスケットテープを貼り合わせて成り、
前記第１のフレームと前記第２のフレームの台座間の一定距離離間した隙間に、当該ＬＶＤＳケーブルをツイストさせることで第１のフレームと第２のフレームとに前記ガスケットテープを接触させた状態で配設すると共に、一端側の前記コネクタを前記制御処理回路基板に装着すると同時に他端側の前記コネクタを前記タイミングコントローラに装着することで、
ＬＶＤＳケーブルにおける前記第１のフレーム及び前記第２のフレームへのＧＮＤ接続を前記ガスケットテープの前記両フレームへの接触を介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめることを特徴とする、請求項４に記載の液晶パネル用ケーブル。
【請求項６】
電気電子部品間を電気的に接続する液晶パネル用ケーブルにおいて、
当該液晶パネル用ケーブルは、内蔵する複数の配線が平面状に並列配置された状態で、その全域にわたって上面から金属層を有するガスケットテープで覆うように電機電子部品間の金属フレームに貼り付けることを特徴とする、請求項２に記載の液晶パネル用ケーブル。
【請求項７】
電機電子部品間を電気的に接続する液晶パネル用ケーブルにおいて、
当該液晶パネル用ケーブルは、
液晶ディスプレイパネルと、当該液晶ディスプレイパネルに組み付けられる枠状のフレームと、当該フレームに組み付けられ、当該液晶ディスプレイパネルの各ＦＥＴ素子を駆動するために、ソースドライバ及びゲートドライバをコントロールするタイミングコントローラと、前記フレームの上方に突出するように設けられたボスにネジ止めされ、フレームと一定距離離間した状態で組み付けられる、前記タイミングコントローラを制御する制御処理回路基板とを有し、外部から入力された映像信号に基づいて所定の映像を前記液晶ディスプレイパネルに表示し、視聴する液晶ディスプレイテレビの離間した前記フレームと前記制御処理回路基板間に配置され、前記タイミングコントローラと前記制御処理回路基板間に配線されるＬＶＤＳケーブルであって、
当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上面から金属層を有するガスケットテープで覆うように前記フレームに貼り付けられて成り、
ＬＶＤＳケーブルにおける前記フレームへのＧＮＤ接続、及び前記制御処理回路基板裏面への接触防止を前記ガスケットテープの貼り付けを介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめることを特徴とする、請求項６に記載の液晶パネル用ケーブル。
【発明の詳細な説明】
【技術分野】
【０００１】
本発明は、電磁シールドを有する液晶パネル用ケーブル、及び当該液晶パネル用ケーブルを備えた液晶ディスプレイテレビに関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして、生活水準の向上と共に、画面の大型化が進んでいる。しかし、従来より長らく主流となっている、ブラウン管を用いたテレビは、その構造上、奥行き寸法、重量、或いは消費電力といった点で問題を抱え、画面の大型化に限界が来つつあった。
【０００３】
一方、近年になって、電子、半導体、或いは材料技術等の向上により、液晶ディスプレイやプラズマディスプレイといった、ブラウン管とは全く異なる新たな表示デバイスが開発されている。こうした表示デバイスは、従来のブラウン管と比較すると薄型であることから、一般にフラットディスプレイパネルと総称されることが多い。
【０００４】
フラットディスプレイパネルは、テレビ用途向けでは、技術開発の伸展や量産効果と共に低コスト化と大型化が可能となり、ＴＶ放送のデジタル化に伴う買い替え需要や日本の狭い住宅事情とも合致して、従来のブラウン管方式にとって替わり、市場が大きく拡大している。
【０００５】
ところで、上述のフラットディスプレイパネルを用いたテレビを製造する場合は、パネルメーカーが供給する汎用のパネルアッシーを組付け、独自の制御処理技術等を付加して行うことが多い。その場合、こうした汎用のパネルアッシーの組付けにおいては、通常、当該パネルアッシーに、制御処理回路基板が取り付けられる。
【０００６】
フラットディスプレイパネルが液晶ディスプレイパネルである場合、こうしたパネルアッシーに対する制御処理回路基板の取り付け構造の代表的なものには以下の２つが挙げられる。
【０００７】
図６に、そのうちの１つの取り付け構造を示す。同図のように、パネルアッシー１は、金属製の枠状フレーム１ａに液晶ディスプレイパネル１ｂが装着されると共に、当該液晶ディスプレイパネル１ｂの各ＦＥＴ素子を駆動するために、不図示のソースドライバ及びゲートドライバをコントロールするタイミングコントローラ１ｃが組みつけられている。
【０００８】
前記制御処理回路基板２は、下方に脚部３ａを有した台座状の金属製の基板用フレーム３上に搭載され、当該脚部３ａが前記枠状フレーム１ａに固定される。この結果、制御処理回路基板２を搭載した前記基板用フレーム３と、パネルアッシー１の前記枠状フレーム１ａ間は一定距離の隙間を有した状態で固定されることになる。
【０００９】
図７には、もう１つの取り付け構造を示す。同図のように、制御処理回路基板２には前述した基板用フレームは設けられず、その代わりにパネルアッシー１の枠状フレーム１ａにボス１ｄが設けられ、当該ボス１ｄに前記制御処理回路基板２が直接ネジ止めされる。従って、基板裏面側は、実装部品の挿入ピン等が露出した状態で、前記ボス１ｄによって規定される一定距離離間しつつ、前記枠状フレーム１ａと相対する構造となる。
【００１０】
上述した何れの取り付け構造をとるにせよ、前記制御処理回路基板２と前記タイミングコントローラ１ｃ間には、ＬＶＤＳ（Ｌｏｗ Ｖｏｌｔａｇｅ Ｄｉｆｆｅｒｅｎｔｉａｌ Ｓｉｇｎａｌｉｎｇ）ケーブル４が配線される。当該ＬＶＤＳケーブル４は、パラレル信号を低電圧差動（約３５０ｍＶ）のシリアル信号に変換して転送する方式である。この方式を採用することにより、不要輻射の低減と伝送線の本数を旧来のアナログ伝送に比べて大幅に削減できる。
【００１１】
前記ＬＶＤＳケーブル４を介して、前記制御処理回路基板２において生成される、前記液晶ディスプレイパネル１ｂ内の各ＦＥＴ素子を適切なタイミングで駆動するようにコントロールするための作動制御信号が前記タイミングコントローラ１ｃに伝送される。
【００１２】
図８には、前記ＬＶＤＳケーブル４の構造を説明する図を示す。
【００１３】
前記ＬＶＤＳケーブル４は同図に示すように、−線と＋線とが捩られたツイスト線４ａが複数本と、ＧＮＤ線４ｂとが束ねられ、その外周を金属製、或いはカーボン製メッシュ４ｆで、さらにその外周を不図示の樹脂性絶縁材で二重に皮膜されている。前記金属製メッシュ４ｆは、配線から外部への不要輻射ノイズの発散、及び外部から配線への不要輻射ノイズの混入を遮断するための電磁シールドである。前記樹脂製絶縁材は、前記ＬＶＤＳケーブル４の配線時に、フレーム、或いは基板裏面等の外部部材とのショートを防止するためである。
【００１４】
ＬＶＤＳケーブル４の前記ツイスト線４ａの両端にはコネクタ４ｃが設けられる一方、前記ＧＮＤ線４ｂの両端にはネジ挿入孔を備えた端子４ｄが露出伸延して設けられている。当該ＬＶＤＳケーブル４は、制御処理回路基板２が搭載された前記基板用フレーム３とパネルアッシー１の前記枠状フレーム１ａ間、或いは前記制御処理回路基板２裏面間に設けられた隙間に配線され、一端側のコネクタ４ｃ１が当該制御処理回路基板２に備えられたコネクタに、他端側のコネクタ４ｃ２が前記タイミングコントローラ１ｃに備えられたコネクタに、各々接続される。同時に、ＬＶＤＳケーブル４の両端に露出伸延して設けられたＧＮＤ線４ｂの端子の一端側が制御処理回路基板２が搭載された前記基板用フレーム３，或いは制御処理回路基板２自体に、他端側がパネルアッシー１の前記枠状フレーム１ａに各々、ネジ締め固定されて接続される。
【００１５】
以上のような構造でＬＶＤＳケーブル４を前記制御処理回路２と前記タイミングコントローラ１ｃ間に配線することで、低コスト且つ省電力で、高精細な映像を液晶ディスプレイパネル１ｂに表示させることが可能となっている。
【００１６】
しかし、こうした前記ＬＶＤＳケーブル４を用いた前記制御処理回路２と前記タイミングコントローラ１ｃ間の配線には、以下のような問題を抱えていた。
【００１７】
即ち、前記ＬＶＤＳケーブル４は、ＧＮＤ接続をするために両端に端子４ｄを設けると共にネジ締めする必要があるため、部材費及び工数がかかり、コストアップに繋がっていた。併せて、ＧＮＤ線４ｂ自体のコストもかかっていた
【００１８】
又、ツイスト線４ａの外周に電磁シールド用のメッシュ４ｆを皮膜する必要があり、やはりコストアップに繋がっていた。
【００１９】
更に、電磁シールド用のメッシュ４ｆによる皮膜では、その構造上、完全な電磁シールドは難しく、ある程度、不要輻射ノイズが漏洩することが避けられなかった。
【００２０】
ところで、従来、こうした配線に関する技術として、以下のような従来技術が開示されている。
【００２１】
即ち、特開平３−２３６１１２号公報（特許文献１）では、平型多芯電線のコネクタ挿入し易さと、電線全体の可撓性とを両立するために、電線接触部の基部の上面に連結テープを貼ると同時に、接触部の下面、或いは下面と折り返した上面の一部とに固着テープを貼り付けている。
【００２２】
特開平６−３７４７８号公報（特許文献２）では、液晶駆動用半導体実装基板にプリント配線された信号系配線、或いは電源系配線からのＥＭＩ発生を低減するために、基板上の当該プリント配線に、金属箔テープを貼り付けている。
【００２３】
特開平１０−１０５６５号公報（特許文献３）では、液晶表示装置と他の電子回路とのＥＭＩ障害を防止するために、接続される液晶駆動用テープキャリアパッケージ、ヒートシール、及び液晶表示体の両端の配線で入出力信号配線を挟み込むように配置し、接地させている。
【特許文献１】特開平３−２３６１１２号公報
【特許文献２】特開平６−３７４７８号公報
【特許文献３】特開平１０−１０５６５号公報
【発明の開示】
【発明が解決しようとする課題】
【００２４】
しかしながら、前記特許文献１の構成では、コネクタ挿入し易さと、電線全体の可撓性とを両立するために配線の一部にテープを貼り付け、剛性を向上させるものであり、前述したＬＶＤＳケーブルに関する諸問題を解決することはできない。
【００２５】
前記特許文献２の構成では、基板上のプリント配線に関するものであり、やはり前述したＬＶＤＳケーブルに関する諸問題を解決することはできない。
【００２６】
前記特許文献３の構成では、テープ状の配線の両側に挟み込むような接地配線を設けることで、ＥＭＩ対策としているが、配線自体は露出し、シールド材で被覆されていないため、ＬＶＤＳにおける電磁シールドとしては全く不十分で、適用することはできない。又、ＧＮＤ線に関するコストの問題を解決することもできない。
【００２７】
本発明は、上記問題にかんがみてなされたもので、低コストで、確実な電磁シールドとＧＮＤ接続を可能にするＬＶＤＳケーブル等の液晶パネル用ケーブル、及び当該液晶パネル用ケーブルを備えた液晶ディスプレイテレビを提供することを目的とする。
【課題を解決するための手段】
【００２８】
上記問題を解決する為に請求項１に記載の発明は、外部から入力された映像信号に基づいて所定の映像を液晶ディスプレイパネルに表示し、視聴する液晶ディスプレイテレビにおいて、当該液晶ディスプレイテレビは、液晶ディスプレイパネルと、当該液晶ディスプレイパネルに組み付けられる枠状の第１のフレームと、当該第１のフレームに組み付けられ、当該液晶ディスプレイパネルの各ＦＥＴ素子を駆動するために、ソースドライバ及びゲートドライバをコントロールするタイミングコントローラと、下方に脚部を有する第２のフレームの台座に載置されて前記第１のフレームに一定距離離間した状態で組み付けられる、前記タイミングコントローラを制御する制御処理回路基板と、離間した前記第１のフレームと前記第２のフレームの台座間に配置され、前記タイミングコントローラと前記制御処理回路基板間に配線される液晶パネル用ケーブルとしてのＬＶＤＳケーブルとを有して成り、当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上下面から金属層を有するガスケットテープを貼り合わせて成り、前記第１のフレームと前記第２のフレームの台座間の一定距離離間した隙間に、当該ＬＶＤＳケーブルをツイストさせることで第１のフレームと第２のフレームとに前記ガスケットテープを接触させた状態で配設すると共に、一端側の前記コネクタを前記制御処理回路基板に装着すると同時に他端側の前記コネクタを前記タイミングコントローラに装着することで、ＬＶＤＳケーブルにおける前記第１のフレーム及び前記第２のフレームへのＧＮＤ接続を前記ガスケットテープの前記両フレームへの接触を介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめる構成としている。
【００２９】
上記のように構成した請求項１に記載の発明によれば、ＬＶＤＳケーブルにおける前記第１のフレーム及び前記第２のフレームへのＧＮＤ接続が、前記ガスケットテープの前記両フレームへの接触を介して行われると共に、電磁シールドが前記ガスケットテープによって行われる。
【００３０】
請求項２に記載の発明は、電気電子部品間を電気的に接続する液晶パネル用ケーブルにおいて、当該液晶パネル用ケーブルは、内蔵する複数の配線の周囲の少なくとも一部に金属層を有するガスケットテープが貼り付けられて成る構成としている。
【００３１】
上記のように構成した請求項２に記載の発明によれば、液晶パネル用ケーブルの電磁シールドが前記ガスケットテープによって行われる。
【発明の効果】
【００３２】
請求項１に記載の発明によれば、ＬＶＤＳケーブルにおける前記第１のフレーム及び前記第２のフレームへのＧＮＤ接続が、前記ガスケットテープの前記両フレームへの接触を介して行われると共に、電磁シールドが前記ガスケットテープによって行われる。
【００３３】
よって、第１のフレームと第２のフレーム間に配置されるＬＶＤＳケーブルにおけるＧＮＤ端子のネジ締め構造、及び電磁シールド用のメッシュ皮膜を不要化し、コストダウンと不要輻射ノイズを低減せしめる。
【００３４】
請求項２に記載の発明によれば、液晶パネル用ケーブルの電磁シールドが前記ガスケットテープによって行われる。
【００３５】
よって、液晶パネル用ケーブルにおける電磁シールド用のメッシュ皮膜を不要化し、コストダウンと不要輻射ノイズを低減せしめる。
【００３６】
請求項３に記載の発明によれば、液晶パネル用ケーブルの電磁シールドがその全域にわたって前記ガスケットテープによって行われる。
【００３７】
よって、上記同様、液晶パネル用ケーブルにおける電磁シールド用のメッシュ皮膜を不要化し、コストダウンと不要輻射ノイズを低減せしめる。
【００３８】
請求項４に記載の発明によれば、液晶パネル用ケーブルにおける金属フレームへのＧＮＤ接続が、前記ガスケットテープの当該フレームへの接触を介して行われると共に、電磁シールドが前記ガスケットテープによって行われる。
【００３９】
よって、液晶パネル用ケーブルにおける端子のネジ締め構造、及び電磁シールド用のメッシュ皮膜を不要化し、コストダウンと不要輻射ノイズを低減せしめる。
【００４０】
請求項５に記載の発明によれば、請求項１同様、ＬＶＤＳケーブルにおける前記第１のフレーム及び前記第２のフレームへのＧＮＤ接続が、前記ガスケットテープの前記両フレームへの接触を介して行われると共に、電磁シールドが前記ガスケットテープによって行われる。
【００４１】
よって、第１のフレームと第２のフレーム間に配置されるＬＶＤＳケーブルにおけるＧＮＤ端子のネジ締め構造、及び電磁シールド用のメッシュ皮膜を不要化し、コストダウンと不要輻射ノイズを低減せしめる。
【００４２】
請求項６に記載の発明によれば、液晶パネル用ケーブルにおける金属フレームへのＧＮＤ接続が、前記ガスケットテープの当該フレームへの貼り付けを介して行われると共に、電磁シールドが前記ガスケットテープによって行われる。
【００４３】
よって、液晶パネル用ケーブルにおける端子のネジ締め構造、及び電磁シールド用のメッシュ皮膜を不要化し、コストダウンと不要輻射ノイズを低減せしめる。
【００４４】
請求項７に記載の発明によれば、ＬＶＤＳケーブルにおける金属フレームへのＧＮＤ接続が、前記ガスケットテープの当該フレームへの貼り付けを介して行われると共に、電磁シールドが前記ガスケットテープによって行われる。
【００４５】
よって、金属フレームと制御処理回路基板裏面間に配置されるＬＶＤＳケーブルにおけるＧＮＤ端子のネジ締め構造、及び電磁シールド用のメッシュ皮膜を不要化し、コストダウンと不要輻射ノイズを低減せしめる。
【発明を実施するための最良の形態】
【００４６】
以下、本発明を液晶ディスプレイテレビにおいて具体化した実施例について説明する。
【実施例１】
【００４７】
図１には、本実施例における液晶ディスプレイテレビ１０の概略構成を説明するブロック図を示す。尚、当該液晶ディスプレイテレビ１０について、本願発明と直接関連しない構造については、詳細な説明、及び図示を省略する。
【００４８】
同図において、液晶ディスプレイテレビ１０は、本体の動作を制御するコントローラ１１ｂと、図示していないアンテナで受信されるテレビ放送信号から選択されているチャンネルのテレビ放送信号を抽出し、出力するチューナ１１ｄと、該チューナ１１ｄが出力したテレビ放送信号に基く映像を後に詳述する液晶ディスプレイパネルアッシー１１ｅに適宜最適な状態で表示させるために制御処理する映像処理部１１ｆと、該チューナ１１ｄが出力したテレビ放送信号に基く音声をスピーカ１１ｇから出力する音声処理部１１ｈと、リモコン１１ｃから送信されてきた制御コマンドを受信するリモコン受信部１１ａとを備えている。
【００４９】
前記リモコン１１ｃは、不図示の電源のオン／オフ、チャンネルの切換、音量のアップ／ダウン等の通常行うテレビ各種操作ボタンを備える。前記コントローラ１１ｂは、リモコン受信部１１ａで受信した制御コマンドに応じて、電源のオン／オフ、チャンネルの切換、音量のアップ／ダウン等の通常のテレビ各種操作機能を制御する。尚、液晶ディスプレイテレビ１０の各部には、図示していない電源回路から動作電源が供給されている。この電源回路の入力は、商用電源（例えば、ＡＣ１００Ｖ）である。
【００５０】
図２に前記液晶ディスプレイパネルアッシー１１ｅ、及び前記映像処理部１１ｆの組付け構造を示す。
【００５１】
同図に示すように、前記液晶ディスプレイパネルアッシー１１ｅは、金属製の第１のフレームとしての枠状フレーム１１ｅ２に液晶ディスプレイパネル１１ｅ１が装着されると共に、当該液晶ディスプレイパネル１１ｅ１の各ＦＥＴ素子を駆動するために、不図示のソースドライバ及びゲートドライバをコントロールするタイミングコントローラ１３が組みつけられている。
【００５２】
前記映像処理部１１ｆは、本実施例では各種電子部品が実装された制御処理回路基板であり、下方に脚部１２ａを有した台座状の金属製の第２のフレームとしての基板用フレーム１２上に搭載され、当該脚部１２ａが前記枠状フレーム１１ｅ２の背面側に固定される。この結果、制御処理回路基板（＝映像処理部）１１ｆを搭載した前記基板用フレーム１２と、液晶ディスプレイパネルアッシー１１ｅの前記枠状フレーム１１ｅ２間は一定距離だけ離間した状態で固定されることになる。
【００５３】
前記枠状フレーム１１ｅ２と前記基板用フレーム１２との間の当該隙間には、前記制御処理回路基板１１ｆと前記タイミングコントローラ１３間を電気的に接続する液晶パネル用ケーブルとしてのＬＶＤＳケーブル１４が配線されている。前述した通り、当該ＬＶＤＳケーブル１４は、パラレル信号を低電圧差動（約３５０ｍＶ）のシリアル信号に変換して転送する方式のケーブルである。この方式を採用することにより、不要輻射の低減と伝送線の本数を旧来のアナログ伝送に比べて大幅に削減できるため、液晶ディスプレイテレビの制御処理回路基板１１ｆと前記タイミングコントローラ１３間を電気的に接続する標準的なケーブル方式となっている。
【００５４】
図３に、本実施例における当該ＬＶＤＳケーブル１４の構造を示す。
【００５５】
同図において、ＬＶＤＳケーブル１４は、＋線と−線とが互いに捩られた例えば３本のツイスト線１４ａと、当該各ツイスト線１４ａ間に設けられた２本のＧＮＤ線１４ｂとが平面状に並列配置された状態で、その上下面を全域にわたって後述するガスケットテープ１４ｃで貼りあわされる。更に、その両端部には、一端側が前記制御処理回路基板１１ｆに設けられた不図示のコネクタに装着接続されるコネクタ１４ｄ１が設けられる一方、他端側が前記タイミングコントローラ１３に設けられた不図示のコネクタに装着接続されるコネクタ１４ｄ２が各々設けられている。
【００５６】
前記ガスケットテープ１４ｃは、例えばアルミ箔にポリエステルフィルムの補強材を介して粘着材が塗布されて成る金属テープであり、前述したようにケーブルの上下面から貼りあわせることで、貼り合わせたガスケットテープ１４ｃの上下面の何れの側が外部の金属部材に接触しても、当該金属部材と導通がとれるようになっている。
【００５７】
このようにガスケットテープ１４ｃで上下面から貼り合わされて成る前記ＬＶＤＳケーブル１４を前記枠状フレーム１１ｅ２と前記基板用フレーム１２との間の隙間に配置する場合には、当該ＬＶＤＳケーブル１４をツイストさせた上で、一端側のコネクタ１４ｄ１を前記制御処理回路基板１１ｆに設けられた不図示のコネクタに装着接続する一方、他方側のコネクタ１４ｄ２を前記タイミングコントローラ１３に設けられた不図示のコネクタに装着接続する。
【００５８】
前記ＬＶＤＳケーブル１４は、ツイストさせることで、前記枠状フレーム１１ｅ２と前記基板用フレーム１２との両方に、ガスケットテープ１４ｃの両面の何れかが必ず接触するようになる。この結果、ガスケットテープ１４ｃを介して、前記枠状フレーム１１ｅ２及び前記基板用フレーム１２とが各々電気的に導通し、ＧＮＤ接続されることとなる。従って、従来のＧＮＤ端子のネジ締め構造、及び電磁シールド用のメッシュ皮膜を不要化することができ、大幅なコストダウンを図ることができる。
【００５９】
又、前記ガスケットテープ１４ｃは、ケーブルの全域にわたって上下面から貼り合わされているため、当該ケーブルから放出される不要輻射ノイズは確実に電磁シールドされる。従って、従来のメッシュ皮膜の構造に比べ、不要輻射ノイズを低減せしめることができる。
【００６０】
以上に説明したように、本実施例では、ガスケットテープ１４ｃをＬＶＤＳケーブル１４全域の上下面から貼り合わせた上、前記枠状フレーム１１ｅ２と前記基板用フレーム１２間にツイストさせた上で配置し、両フレームに、ガスケットテープ１４ｃの両面の何れかが必ず接触するようにしたので、低コストで、確実な電磁シールドとＧＮＤ接続を可能にするＬＶＤＳケーブル１４を提供し得る。
【実施例２】
【００６１】
本実施例では、液晶ディスプレイパネルアッシー１１ｅに対する制御処理回路基板１１ｆの組み付け構造が実施例１と異なる例について説明する。尚、共通の構造については説明を省略する。
【００６２】
図４に前記液晶ディスプレイパネルアッシー１１ｅ、及び前記制御処理回路基板１１ｆの組付け構造を示す。
【００６３】
実施例１同様、前記液晶ディスプレイパネルアッシー１１ｅは、金属製の第１のフレームとしての枠状フレーム１１ｅ２に液晶ディスプレイパネル１１ｅ１が装着されると共に、当該液晶ディスプレイパネル１１ｅ１の各ＦＥＴ素子を駆動するために、不図示のソースドライバ及びゲートドライバをコントロールするタイミングコントローラ１３が組みつけられている。
【００６４】
制御処理回路基板１１ｆの組付けは、前記実施例１の場合とは異なり、基板用フレームを介さない。即ち、基板用フレームの代わりに液晶ディスプレイパネルアッシー１１ｅの枠状フレーム１１ｅ２にボス１１ｅ３が設けられ、当該ボス１１ｅ３に前記制御処理回路基板１１ｆが直接ネジ止めされる。従って、基板裏面側は、実装部品の挿入ピン等が露出した状態で、前記ボス１１ｅ３によって規定される一定距離離間しつつ、前記枠状フレーム１１ｅ２と相対する構造となる。
【００６５】
本実施例では、前記枠状フレーム１１ｅ２と裏面が露出する前記制御処理回路基板１１ｆとの間の当該隙間に、制御処理回路基板１１ｆと前記タイミングコントローラ１３間を電気的に接続するＬＶＤＳケーブル１４が配線されている。
【００６６】
図５に、本実施例における当該ＬＶＤＳケーブル１４の構造を示す。
【００６７】
同図において、ＬＶＤＳケーブル１４は、＋線と−線とが互いに捩られた例えば３本のツイスト線１４ａと、当該各ツイスト線１４ａ間に設けられた２本のＧＮＤ線１４ｂとが平面状に並列配置された状態で、その上面を全域にわたってガスケットテープ１４ｃで前記枠状フレーム１１ｅ２に貼り付けられる。更に、その両端部には、一端側が前記制御処理回路基板１１ｆに設けられた不図示のコネクタに装着接続されるコネクタ１４ｄ１が設けられる一方、他端側が前記タイミングコントローラ１３に設けられた不図示のコネクタに装着接続されるコネクタ１４ｄ２が各々設けられている。
【００６８】
即ち、本実施例では実施例１の場合とは異なり、ＬＶＤＳケーブル１４はガスケットテープ１４ｃによって前記枠状フレーム１１ｅ２に固定され、当該枠状フレーム１１ｅ２にのみに接続される。これは、基板用フレームが無いため前記制御処理回路基板１１ｆの裏面がＬＶＤＳケーブル１４側に露出しており、実施例１のようにＬＶＤＳケーブル１４の両面がガスケットテープ１４ｃで貼り合わされた状態で配置されると、当該ＬＶＤＳケーブル１４が基板裏面側に露出した実装部品の挿入リード、配線パターン、或いは実装用半田等に接触し、ショートする恐れがあるためである。
【００６９】
このように、前記ＬＶＤＳケーブル１４を前記枠状フレーム１１ｅ２と前記制御処理回路基板１１ｆとの間の隙間に配置する場合には、当該ＬＶＤＳケーブル１４の上面を全域にわたってガスケットテープ１４ｃで前記枠状フレーム１１ｅ２に貼り付けた上で、一端側のコネクタ１４ｄ１を前記制御処理回路基板１１ｆに設けられた不図示のコネクタに装着接続する一方、他方側のコネクタ１４ｄ２を前記タイミングコントローラ１３に設けられた不図示のコネクタに装着接続する。但し、前記ＬＶＤＳケーブル１４の一端側の前記コネクタ１４ｄ１は、上方に位置する前記制御処理回路基板１１ｆのコネクタに接続するため起立させねばならないため、当該コネクタ１４ｄ１側の若干長は前記枠状フレーム１１ｅ２にガスケットテープ１４ｃで貼り付けられない。従って、この部分については、前記実施例同様、ＬＶＤＳケーブル１４の上下面をガスケットテープ１４ｃで貼り合わせることで、電磁シールドすることになる。
【００７０】
前記ＬＶＤＳケーブル１４は、前記枠状フレーム１１ｅ２にのみガスケットテープ１４ｃが接触する。この結果、ガスケットテープ１４ｃを介して、前記枠状フレーム１１ｅ２が電気的に導通されるため、ＧＮＤ接続されることとなる。従って、実施例１同様、従来のＧＮＤ端子のネジ締め構造、及び電磁シールド用のメッシュ皮膜を不要化することができ、大幅なコストダウンを図ることができる。
又、前記ガスケットテープ１４ｃは、ＬＶＤＳケーブル１４の全域にわたって上面から前記枠状フレーム１１ｅ２に貼り付けられているため、当該ＬＶＤＳケーブル１４から放出される不要輻射ノイズは確実に電磁シールドされる。従って、従来のメッシュ皮膜の構造に比べ、不要輻射ノイズを低減せしめることができる。
【００７１】
以上に説明したように、本実施例では、ガスケットテープ１４ｃをＬＶＤＳケーブル１４全域の上面から枠状フレームに１１ｅ２貼り付けた上で配置し、枠状フレーム１１ｅ２に、ガスケットテープ１４ｃが接触するようにしたので、低コストで、確実な電磁シールドとＧＮＤ接続を可能にするＬＶＤＳケーブル１４を提供し得る。しかも、前記制御処理回路基板１１ｆ裏面が露出していても、ショートする心配が無い。
【００７２】
尚、本願発明は上記実施例の構成に限定されるものではなく、以下に列記する構成について、適宜変更可能である。
【００７３】
１．各実施例では、液晶ディスプレイテレビに使用する液晶パネル用ケーブルとしてＬＶＤＳケーブルの例で説明したが、これに限定されることはなく、ＬＶＤＳケーブル以外の種類の液晶パネル用ケーブルに適用しても良い。
【００７４】
更に、ＬＶＤＳケーブルに適用する場合でも、液晶ディスプレイテレビに限定されることは無く、他の各種電気電子機器に用いられるＬＶＤＳケーブルに適用可能である。
【００７５】
２．各実施例では、ガスケットテープは、アルミ箔から成る場合について説明したが、これに限定されることはなく、導電性且つ電磁シールド性を有する各種材料から成るテープが適用可能である。例えば、銅、炭素繊維等が挙げられる。
【００７６】
３．実施例１では、ＬＶＤＳケーブルをツイストさせた状態で、基板用フレームと枠状フレーム間の隙間に配置し、両フレームに接触させる構成について説明したが、これに限定はされず、両フレームに接触し得れば、ＬＶＤＳケーブルを他の形状で配置させるようにしても良い。例えば、Ｓ字状に蛇行させるような形状が挙げられる。
【００７７】
４．実施例１において、ＬＶＤＳケーブルをツイスト等、基板用フレームと枠状フレームに接触させる形状にする位置は、当該ＬＶＤＳケーブルの全長にわたる必要は必ずしも無く、当該両フレームに１箇所でも接触できれば、一部のみに変形を加えるようにしても良い。
【００７８】
５．実施例２において、ＬＶＤＳケーブルを枠状フレームにガスケットテープで貼り付ける位置は、当該ケーブル全長にわたる必要は必ずしも無く、上方に位置する制御処理回路基板裏面に接触しないように、且つ枠状フレームに接触していれば、ケーブルの一部分のみを枠状フレームにガスケットテープで貼り付けるようにしても良い。
【００７９】
但し、この場合、ＬＶＤＳケーブルの枠状フレームに貼り付けていない部分も、外部に露出して不要輻射ノイズが漏洩しないように、ガスケットテープで電磁シールドしておく必要がある。
【００８０】
６．各実施例で説明したＬＶＤＳケーブル内の配線形態は一例に過ぎず、配線本数、配線レイアウト等は適宜、変更し得る。その場合、配線形態に応じて、ガスケットテープの貼り付け状態も適宜、変更する。例えば、実施例１では、上下面にガスケットテープを貼り合わせる構成としているが、配線が平面並列させるレイアウトではなく、同心円状に配置するようなレイアウトである場合には、ガスケットテープはその周囲を螺旋状に巻き回していく構成が考えられる。この場合、ＬＶＤＳケーブルは例えば蛇行させて配置することで、基板用フレームと枠状フレームとに接触させ得る。
【００８１】
７．各実施例では、ＬＶＤＳケーブルの両端にコネクタを配置しているが、当該コネクタ以外の接続形態であっても勿論良い。
【００８２】
８．各実施例においては、ＬＶＤＳケーブルはガスケットテープにより、フレームへのＧＮＤ接続と、ケーブル自体の電磁シールドとの両方を兼ね備えるような構成としているが、必ずしもこれに限定はされず、何れか一方のみを備える構成としても良い。
【００８３】
即ち、ガスケットテープによるフレームの接触は行わず、電磁シールドのみとし、フレームへは従来同様のＧＮＤ端子のネジ締めによるようにしても良い。これによれば、ＧＮＤ端子のネジ締めを省略することによるコストダウンは得られなくなるが、電磁シールドを向上させる効果、及びメッシュ皮膜の不要化によるコストダウンは引き続き得られる。
【００８４】
逆に、ガスケットテープによるＬＶＤＳケーブルのフレームへの接触のみを行い、ケーブル全体の電磁シールドは従来同様のメッシュ皮膜によるようにしても良い。これによれば、電磁シールドを向上させる効果、及びメッシュ皮膜の不要化によるコストダウンは得られなくなるが、ＧＮＤ端子のネジ締めを省略することによるコストダウンは引き続き得られる。
【００８５】
以下に請求項３以降の作用について述べる。
【００８６】
請求項３に記載の発明は、電気電子部品間を電気的に接続する液晶パネル用ケーブルにおいて、内蔵する複数の配線が平面状に並列配置された状態で、その全域にわたって上下面から金属層を有するガスケットテープを貼り合わせて成る構成としている。
【００８７】
上記のように構成した請求項３に記載の発明によれば、液晶パネル用ケーブルの電磁シールドがその全域にわたって前記ガスケットテープによって行われる。
【００８８】
請求項４に記載の発明は、電気電子部品間を電気的に接続する液晶パネル用ケーブルにおいて、当該液晶パネル用ケーブルは、内蔵する複数の配線が平面状に並列配置された状態で、その上下面から金属層を有するガスケットテープを貼り合わせて成り、当該ガスケットテープを電機電子部品間の金属フレームに接触させた状態で配置する構成としている。
【００８９】
上記のように構成した請求項４に記載の発明によれば、液晶パネル用ケーブルにおける金属フレームへのＧＮＤ接続が、前記ガスケットテープの当該フレームへの接触を介して行われると共に、電磁シールドが前記ガスケットテープによって行われる。
【００９０】
請求項５に記載の発明は、電機電子部品間を電気的に接続する液晶パネル用ケーブルにおいて、当該液晶パネル用ケーブルは、液晶ディスプレイパネルと、当該液晶ディスプレイパネルに組み付けられる枠状の第１のフレームと、当該第１のフレームに組み付けられ、当該液晶ディスプレイパネルの各ＦＥＴ素子を駆動するために、ソースドライバ及びゲートドライバをコントロールするタイミングコントローラと、下方に脚部を有する第２のフレームの台座に載置されて前記第１のフレームに一定距離離間した状態で組み付けられる、前記タイミングコントローラを制御する制御処理回路基板とを有し、外部から入力された映像信号に基づいて所定の映像を前記液晶ディスプレイパネルに表示し、視聴する液晶ディスプレイテレビの離間した前記第１のフレームと前記第２のフレームの台座間に配置され、前記タイミングコントローラと前記制御処理回路基板間に配線されるＬＶＤＳケーブルであって、当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上下面から金属層を有するガスケットテープを貼り合わせて成り、前記第１のフレームと前記第２のフレームの台座間の一定距離離間した隙間に、当該ＬＶＤＳケーブルをツイストさせることで第１のフレームと第２のフレームとに前記ガスケットテープを接触させた状態で配設すると共に、一端側の前記コネクタを前記制御処理回路基板に装着すると同時に他端側の前記コネクタを前記タイミングコントローラに装着することで、ＬＶＤＳケーブルにおける前記第１のフレーム及び前記第２のフレームへのＧＮＤ接続を前記ガスケットテープの前記両フレームへの接触を介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめる構成としている。
【００９１】
上記のように構成した請求項５に記載の発明によれば、請求項１同様、ＬＶＤＳケーブルにおける前記第１のフレーム及び前記第２のフレームへのＧＮＤ接続が、前記ガスケットテープの前記両フレームへの接触を介して行われると共に、電磁シールドが前記ガスケットテープによって行われる。
【００９２】
請求項６に記載の発明は、電気電子部品間を電気的に接続する液晶パネル用ケーブルにおいて、当該液晶パネル用ケーブルは、内蔵する複数の配線が平面状に並列配置された状態で、その全域にわたって上面から金属層を有するガスケットテープで覆うように電機電子部品間の金属フレームに貼り付ける構成としている。
【００９３】
上記のように構成した請求項６に記載の発明によれば、液晶パネル用ケーブルにおける金属フレームへのＧＮＤ接続が、前記ガスケットテープの当該フレームへの貼り付けを介して行われると共に、電磁シールドが前記ガスケットテープによって行われる。
【００９４】
請求項７に記載の発明は、電機電子部品間を電気的に接続する液晶パネル用ケーブルにおいて、当該液晶パネル用ケーブルは、液晶ディスプレイパネルと、当該液晶ディスプレイパネルに組み付けられる枠状のフレームと、当該フレームに組み付けられ、当該液晶ディスプレイパネルの各ＦＥＴ素子を駆動するために、ソースドライバ及びゲートドライバをコントロールするタイミングコントローラと、前記フレームの上方に突出するように設けられたボスにネジ止めされ、フレームと一定距離離間した状態で組み付けられる、前記タイミングコントローラを制御する制御処理回路基板とを有し、外部から入力された映像信号に基づいて所定の映像を前記液晶ディスプレイパネルに表示し、視聴する液晶ディスプレイテレビの離間した前記フレームと前記制御処理回路基板間に配置され、前記タイミングコントローラと前記制御処理回路基板間に配線されるＬＶＤＳケーブルであって、当該ＬＶＤＳケーブルは、＋線と−線とが互いに捩られた複数のツイスト線と、当該各ツイスト線間に設けられたＧＮＤ線とが平面状に並列配置された状態で、両端部には一端側が前記制御処理回路基板に装着される一方、他端側が前記タイミングコントローラに装着されるコネクタが各々設けられると共に、当該両コネクタを除く全域にわたって上面から金属層を有するガスケットテープで覆うように前記フレームに貼り付けられて成り、ＬＶＤＳケーブルにおける前記フレームへのＧＮＤ接続、及び前記制御処理回路基板裏面への接触防止を前記ガスケットテープの貼り付けを介して行うと共に、電磁シールドを前記ガスケットテープによって行い、ＧＮＤ端子のネジ締め構造、及び電磁シールド用のメッシュ皮膜を不要化し、コストダウンと不要輻射ノイズを低減せしめる構成としている。
【００９５】
上記のように構成した請求項７に記載の発明によれば、ＬＶＤＳケーブルにおける金属フレームへのＧＮＤ接続が、前記ガスケットテープの当該フレームへの貼り付けを介して行われると共に、電磁シールドが前記ガスケットテープによって行われる。
【産業上の利用可能性】
【００９６】
低コストで、確実な電磁シールドとＧＮＤ接続を可能にするＬＶＤＳケーブル等の液晶パネル用ケーブル、及び当該液晶パネル用ケーブルを備えた液晶ディスプレイテレビを提供する。
【図面の簡単な説明】
【００９７】
【図１】本発明の実施例１を説明するブロック図である。
【図２】本発明の実施例１を説明する断面図である。
【図３】本発明の実施例１を説明する斜視図である。
【図４】本発明の実施例２を説明する断面図である。
【図５】本発明の実施例２を説明する部分斜視図である。
【図６】従来技術を説明する断面図である。
【図７】従来技術を説明する断面図である。
【図８】従来技術を説明する部分斜視図である。
【符号の説明】
【００９８】
１０…液晶ディスプレイテレビ
１１ｅ１…液晶ディスプレイパネル
１１ｅ２…第１のフレームとしての枠状フレーム
１１ｅ３…ボス
１１ｆ…映像処理部
１２…第２のフレームとしての基板用フレーム
１２ａ…脚部
１３…タイミングコントローラ
１４…液晶パネル用ケーブルとしてのＬＶＤＳケーブル
１４ａ…ツイスト線
１４ｂ…ＧＮＤ線
１４ｃ…ガスケットテープ
１４ｄ，１４ｄ１，１４ｄ２…コネクタ
【図１】
2007265640.tif 000003
【図２】
2007265640.tif 000004
【図３】
2007265640.tif 000005
【図４】
2007265640.tif 000006
【図５】
2007265640.tif 000007
【図６】
2007265640.tif 000008
【図７】
2007265640.tif 000009
【図８】
2007265640.tif 000010